(57)【要約】【課題】結露を防止できるハウジング及び光照明装置を提供する。【解決手段】ハウジングには、呼吸孔１及びグロメット孔２が設けられる。呼吸孔１の周囲には山型のリング部１１が設けられ、山型のリング部１１の周囲にはリブ１３−１、１３−２、１３−３が設けられる。山型リング部１１の裾部１１ａはリブ１３−１、１３−２、１３−３に到達している。【選択図】  図１
2019008897.tif 000002
【特許請求の範囲】
【請求項１】
呼吸孔を有するハウジングにおいて、
前記ハウジングの表側の前記呼吸孔の周囲に設けられた山型のリング部の具備することを特徴とするハウジング。
【請求項２】
さらに、前記リング部の周囲に設けられた複数のリブを具備する請求項１に記載のハウジング。
【請求項３】
前記リブの間隔は水が表面張力で前記リブの間に溜まらない程度以上である請求項２に記載のハウジング。
【請求項４】
前記山型リング部の裾部は前記リブに到達している請求項２又は３に記載のハウジング。
【請求項５】
前記呼吸孔に嵌合された呼吸キャップを具備する請求項１〜４のいずれか１つに記載のハウジング。
【請求項６】
請求項１〜５のいずれかに記載のハウジングと、
前記ハウジングの裏側に結合された透光性レンズと
を具備し、前記ハウジングと前記透光性レンズとによって密閉構造の灯室を構成する光照明装置。
【発明の詳細な説明】
【技術分野】
【０００１】
本発明はハウジングと透光性レンズとによって構成された密開構造の灯室を有する光照明装置、特に、そのハウジンング（ヒートシンク）に関する。
【背景技術】
【０００２】
投光器等の光照明装置は、ヒートシンクとして作用するハウジング及びレンズとして作用する透光性カバーによって構成された密閉構造の灯室を有する。この場合、ハウジングには、リフレクタ、発光ダイオード（ＬＥＤ）ユニット、電源回路ユニット等が設けられる。屋外での使用を前提とした光照明装置においては、通常、灯室内の湿気を外部に排出させる呼吸孔をハウジングに設けることにより、急激な温度差が生じてもハウジング内が結露しないようにする。
【０００３】
図４は従来の光照明装置のハウジングに形成された呼吸孔近傍を示し、（Ａ）は呼吸キャップ嵌合前の斜視図、（Ｂ）は呼吸キャップ嵌合後の斜視図である。（参照：特許文献１の（ａ）、（ｂ））。
【０００４】
図４に示すように、呼吸孔１０１を形成する内側筒体１０２は３つの壁板１０３によって外側筒体１０４に結合されている。水を通さず湿気を通す防水透湿性の呼吸キャップ１０５で内側筒体１０２を嵌合することにより呼吸孔１０１を塞ぐ。このとき、外側筒体１０４は呼吸キャップ１０５に水が流れ込まないように作用する。尚、外側筒体１０４内に流れ込んで呼吸キャップ１０５に付着した水は発熱素子の点灯時に加熱されて水蒸気となり呼吸キャップ１０５からハウジング内の灯室に侵入して結露の原因となる。また、内側筒体１０２と外側筒体１０４との間に流れ込んだ水を外側筒体１０４外へ逃がすために外側筒体１０４に１つの切欠き１０４ａを設けている。
【先行技術文献】
【特許文献】
【０００５】
【特許文献１】特開２０１４−１７１２６号公報
【発明の概要】
【発明が解決しようとする課題】
【０００６】
しかしながら、上述の図４に示す従来の光照明装置においては、内側筒体１０２と外側筒体１０４との間の底面が平坦となっているので、内側筒体１０２と外側筒体１０４との間に流れ込んだ水は呼吸キャップ１０５周辺に溜まり易く、従って、外側筒体１０４の外に出にくいという課題がある。
【０００７】
また、外側筒体１０４の切欠き１０４ａが下向きになることを前提としている。従って、この光照明装置の向きを変化させて切欠き１０４ａが下向きでなくなると、内側筒体１０２と外側筒体１０４とに流れ込んだ水は外側筒体１０４から流れ出にくく、この結果、呼吸孔１０１の呼吸が停止すると共に、発熱素子の点灯によって加熱され、水蒸気となってハウジング内灯室に侵入して結露の原因となるという課題もある。
【課題を解決するための手段】
【０００８】
上述の課題を解決するために、本発明に係るハウジングは、呼吸孔を有するハウジングにおいて、ハウジングの表側の呼吸孔の周囲に設けられた山型のリング部を具備するものである。
【０００９】
また、本発明に係る光照明装置は、上述のハウジングと、ハウジングの裏側に結合された透光性レンズとを具備し、ハウジングと透光性レンズとによって密開構造の灯室を構成するものである。
【発明の効果】
【００１０】
本発明によれば、山型のリング部により呼吸孔（呼吸キャップ）の周囲に水が溜まるのを防止でき、ハウジング内の結露を防止できる。
【図面の簡単な説明】
【００１１】
【図１】本発明に係る光照明装置のハウジング（ヒートシンク）の実施の形態を示し、（Ａ）、（Ｂ）は異なる方向から見た表面側斜視図、（Ｃ）は側面図である。
【図２】図１のハウジングを示し、（Ａ）は表面図、（Ｂ）は裏面図である。
【図３】図２のハウジングの断面図であり、（Ａ）は図２のＩＩＩ−ＩＩＩ線断面図、（Ｂ）は（Ａ）のグロメット嵌合図、（Ｃ）は呼吸キャップ嵌合図である。
【図４】従来の光照明装置の呼吸孔近傍を示し、（Ａ）は吸収キャップ嵌合前の斜視図、（Ｂ）は吸収キャップ嵌合後の斜視図である。
【発明を実施するための形態】
【００１２】
図１は本発明の係る光照明装置のハウジング（ヒートシンク）の実施の形態を示し、（Ａ）、（Ｂ）は異なる方向から見た表面斜視図、（Ｃ）は側面図、図２は図１のハウジングを示し、（Ａ）は表面図、（Ｂ）は裏面図、図３は図２のハウジングの断面図であり、（Ａ）は図２のＩＩＩ−ＩＩＩ線断面図、（Ｂ）は（Ａ）のグロメット嵌合図、（Ｃ）は呼吸キャップ嵌合図である。図１、図２においては、ハウジング（ヒートシンク）の裏面側には、図示しない透光性レンズが結合されて密閉構造の灯室を構成するものとする。
【００１３】
ハウジングには、呼吸孔１及びグロメット孔２が設けられている。
【００１４】
呼吸孔１の周囲には山型リング部１１が設けられている。これにより、呼吸孔１１に防水透湿性の呼吸キャップ１２（図３の（Ｃ）参照）の周囲にどの方向から水が流れ込んでも、呼吸キャップ１２の周囲に水が溜まるのを防止でき、従って、水の蒸発による水蒸気の呼吸キャップ１２内への侵入を防止できる。
【００１５】
また、山型のリング部１１の周囲にはリブ１３−１、１３−２、１３−３を等間隔に設ける。これにより、呼吸キャップ１２の水が流れ込むのを防止すると共に、塵をも避け、また呼吸キャップを破損から保護することができる。この場合、リブ１３−１、１３−２、１３−３の間隔を大きくすることにより水が表面張力でリブ１３−１、１３−２、１３−３の内側に溜まるのを防止する。たとえば１０ｍｍ以上の間隔を備えることでこの効果が得られる。リブ１３−１、１３−２、１３−３の隙間はハウジングが下向きを含むいかなる角度でも呼吸キャップ１２の周囲の水を流れ易くしている。尚、リブ１３−１、１３−２、１３−３の数は４以上にもなし得る。また、必ずしも等間隔である必要はない。
【００１６】
さらに、山型リング部１１の裾部１１ａはリブ１３−１、１３−２、１３−３の根本まで到達している。これにより、呼吸キャップ１２の周囲に流れ込んだ水がリブ１３−１、１３−２、１３−３の外側に流れ易くする。
【００１７】
グロメット孔２には、図３の（Ｂ）に示すごとく、導線（図示せず）が貫通したグロメット２１を嵌合する。
【００１８】
上述のリング部１１、リブ１３−１、１３−２、１３−３を含むハウジングは一体成型で形成される。一体成型が可能であれば素材は問わないが、放熱性や屋外での耐久性の観点からＡｌなどの軽金属が好ましい。
【００１９】
尚、本発明は上述の実施の自明の範囲のいかなる変更にも適用し得る。
【産業上の利用可能性】
【００２０】
本発明は、投光器の外、ＬＥＤ素子又はレーザダイオード（ＬＤ）素子を用いた一般の光照明装置、大容量タイプの光照明装置、車両用灯具等に利用できる。
【符号の説明】
【００２１】
１：呼吸孔
１１：山型のリング部
１１ａ：裾部
１２：呼吸キャップ
１３−１、１３−２、１３−３：リブ
２：グロメット孔
２１：グロメット
１０１：呼吸孔
１０２：内側筒体
１０３：壁板
１０４：外側筒体１０４
１０４ａ：切欠き
【図１】
2019008897.tif 000003
【図２】
2019008897.tif 000004
【図３】
2019008897.tif 000005
【図４】
2019008897.tif 000006